(57)【要約】      （修正有）【課題】普段使用する種々の手提げバッグ等とともに持ち運ぶときに、その手提げバッグ等がふらつかないようにしっかり安定して保持することができるキャリーバッグを提供する。【解決手段】内部に荷物を収納する容器本体２と、容器本体２の開口部に対して線ファスナーＦ１を介して開閉自在である蓋体３と、容器本体２における開口部とは反対側である背面に設けられ伸縮自在であるスライドフレーム４と、載置する面と対向する容器本体２及び蓋体３の底面に複数設けられたキャスター体５と、容器本体２又は蓋体３におけるスライドフレーム４が引き出される側である天面側に設けられた環状部６と、環状部６に挿通され、両端側に互いが係止する係止部７及び被係止部８を有するベルト９を備える。【選択図】図１
0003213471.tif 000002
【実用新案登録請求の範囲】
【請求項１】
内部に荷物を収納する容器本体と、
前記容器本体の開口部に対して線ファスナーを介して開閉自在である蓋体と、
前記容器本体における前記開口部とは反対側である背面に設けられ伸縮自在であるスライドフレームと、
載置する面と対向する前記容器本体及び前記蓋体の底面に複数設けられたキャスター体と、
前記容器本体又は前記蓋体における前記スライドフレームが引き出される側である天面側に設けられた環状部と、
前記環状部に挿通され、両端側に互いが係止する係止部及び被係止部を有するベルトを備えることを特徴とするキャリーバッグ。
【請求項２】
前記ベルトが、前記スライドフレームを取り囲んで前記係止部又は前記被係止部を係止しうる長さを有することを特徴とする請求項１に記載のキャリーバッグ。
【請求項３】
前記ベルトの長さが、１０００〜１４００ｍｍであることを特徴とする請求項１又は請求項２に記載のキャリーバッグ。
【請求項４】
前記ベルトが、前記係止部又は前記被係止部の少なくとも一方に連設された挿通孔に挿通されており、前記係止部と前記被係止部の間の長さ調整が自在であることを特徴とする請求項１から請求項３のいずれかに記載のキャリーバッグ。
【請求項５】
前記環状部が、前記容器本体又は前記蓋体の前記天面側において、前記容器本体又は前記蓋体に両端が固設されて輪状となった連結部に挿通されていることを特徴とする請求項１から請求項４のいずれかに記載のキャリーバッグ。
【考案の詳細な説明】
【技術分野】
【０００１】
本考案は、旅行や出張などで多くの荷物を収納する車輪付きのスーツケースであるキャリーバッグに関するものである。
【背景技術】
【０００２】
従来、ビジネスマンなどが出張するときにおいて、着替え、洗面用具、ノート型パーソナルコンピュータなど多くの荷物を収納して持ち運ぶためにキャリーバッグが用いられているが、説明資料、パンフレットなど薄手の書類やタブレット端末などの携帯情報端末などは取り出し易くするためや、宿泊施設等にキャリーバッグを置いておきキャリーバッグとは独立して客先にそれらを持ち運ぶために、手提げバッグなどキャリーバッグよりも容量の小さいバッグをキャリーバッグとともに持ち運ぶことが多くなっている。キャリーバッグと手提げバッグの両方を持ち運ぶためには基本的に両手が塞がったり、片手では手提げバッグが動きやすいので持ちにくかったりという問題があった。
【０００３】
そこで、例えば、特許文献１では、バッグ本体１０の背面側に、背負いベルト収容用ポケット部２５を形成し、背負いベルト収容用ポケット部２５内に一対の背負いベルト２８Ｒ，２８Ｌを出し入れ可能に収容し、バック本体１０の背負いベルト収容用ポケット部２５の背面外側に硬くて自己形状保持機能のある背当てパッド３０を取り付け、背負いベルト収容用ポケット部２５と背当てパッド３０との間に、キャリーバッグ５０のキャリーハンドル５１を挿通するためのキャリーハンドル挿通用隙間３１を設けて、キャリーバッグ５０と一体として持ち運ぶことが開示されている（符号は特許文献１における符号である）。
【先行技術文献】
【特許文献】
【０００４】
【特許文献１】特開２０１５−１５０２９２号公報
【考案の概要】
【考案が解決しようとする課題】
【０００５】
しかしながら、先行特許文献１に記載のマルチウェイバッグとキャリーバッグを一体にして持ち運ぶ手段では、キャリーバッグの種類は選ばないが、マルチウェイバッグにはキャリーハンドルを挿通するための隙間が必要となることから、キャリーバッグを使用しない普段の使い方ではマルチウェイバッグにおけるキャリーハンドルを挿通するための隙間はむしろ不要であり、キャリーバッグの方で手提げバッグ等を保持することが好ましいという課題があった。
【０００６】
そのため、本考案において、普段使用する種々の手提げバッグ等とともに持ち運ぶときに、その手提げバッグ等がふらつかないようにしっかり安定して保持することができるキャリーバッグを提供することを目的とする。
【課題を解決するための手段】
【０００７】
〔１〕すなわち、本考案は、内部に荷物を収納する容器本体（２）と、前記容器本体（２）の開口部に対して線ファスナー（Ｆ）を介して開閉自在である蓋体（３）と、前記容器本体（２）における前記開口部とは反対側である背面に設けられ伸縮自在であるスライドフレーム（４）と、載置する面と対向する前記容器本体（２）及び前記蓋体（３）の底面に複数設けられたキャスター体（５）と、前記容器本体（２）又は前記蓋体（３）における前記スライドフレーム（４）が引き出される側である天面側に設けられた環状部（６）と、前記環状部（６）に挿通され、両端側に互いが係止する係止部（７）及び被係止部（８）を有するベルト（９）を備えることを特徴とするキャリーバッグ（１）である。
【０００８】
〔２〕そして、前記ベルト（９）が、前記スライドフレーム（４）を取り囲んで前記係止部（７）又は前記被係止部（８）を係止しうる長さを有することを特徴とする前記〔１〕に記載のキャリーバッグ（１）である。
【０００９】
〔３〕そして、前記ベルト（９）の長さが、１０００〜１４００ｍｍであることを特徴とする前記〔１〕又は前記〔２〕に記載のキャリーバッグ（１）である。
【００１０】
〔４〕そして、前記ベルト（９）が、前記係止部（７）又は前記被係止部（８）の少なくとも一方に連設された挿通孔（７１）に挿通されており、前記係止部（７）と前記被係止部（８）の間の長さ調整が自在であることを特徴とする前記〔１〕から前記〔３〕のいずれかに記載のキャリーバッグ（１）である。
【００１１】
〔５〕そして、前記環状部（６）が、前記容器本体（２）又は前記蓋体（２）の前記天面側において、前記容器本体（２）又は前記蓋体（３）に両端が固設されて輪状となった連結部（６１）に挿通されていることを特徴とする前記〔１〕から前記〔４〕のいずれかに記載のキャリーバッグ（１）である。
【考案の効果】
【００１２】
本考案のキャリーバッグによれば、普段使用する種々の手提げバッグ等とともに持ち運ぶときに、その手提げバッグ等がふらつかないようにしっかり安定して保持することができる。
【図面の簡単な説明】
【００１３】
【図１】本考案の一実施例におけるキャリーバッグの斜視図である。
【図２】本考案の一実施例におけるキャリーバッグの副蓋体を開けてベルトを取り出した状態の斜視図である。
【図３】本考案の一実施例におけるキャリーバッグの天面に手提げバッグを保持した使用状態の斜視図である。
【図４】本考案の一実施例におけるキャリーバッグの天面側において蓋体及び副蓋体の一部を切断した状態の部分断面図である。
【考案を実施するための形態】
【００１４】
以下、本考案に係るキャリーバッグ１に関する実施の形態について、添付の図面に基づいて詳しく説明する。なお、以下に説明する実施形態は、本考案を実施するに好ましい具体例であるから、技術的に種々の限定がなされているが、本考案は、以下の説明において特に考案を限定する旨が明記されていない限り、この形態に限定されるものではない。本件出願において、上下方向は、図１及び図２における上下方向に対応するものである。なお、数値範囲を示す表現は上限と下限を含むものである。
【００１５】
図１から図４は、本考案におけるキャリーバッグ１の一実施例を示すものであり、図１はキャリーバッグ１の全体像を示す斜視図であり、図２はキャリーバッグ１の副蓋体３１を開けてベルト９を取り出した状態の斜視図であり、図３はキャリーバッグ１の天面に手提げバッグＢを保持した使用状態の斜視図であり、図４はキャリーバッグ１の天面側において蓋体３及び副蓋体３１の一部を切断した状態の部分断面図である。
【００１６】
図１に示すように、本考案のキャリーバッグ１は、内部に荷物を収納する容器本体２と、
容器本体２の開口部に対して線ファスナーＦ１を介して開閉自在である蓋体３と、容器本体１における開口部とは反対側である背面に設けられ伸縮自在であるスライドフレーム４と、載置する面と対向する容器本体１の底面に複数設けられたキャスター体５などを備えている。
【００１７】
そして、図２に示すように、本考案のキャリーバッグ１は、蓋体３におけるスライドフレーム４が引き出される側である天面側に設けられた環状部６と、記環状部に挿通され、両端に互いが係止する係止部７及び被係止部８を有するベルト９などを備えている。
【００１８】
容器本体２は、内部に荷物を収納する部材であり、本実施形態において、略直方体の形状を有している。蓋体３側に、図示しない開口部が設けられており、その開口部から種々の荷物を入れて収納することができる。
【００１９】
蓋体３は、容器本体２の開口部に対して線ファスナーＦ１を介して開閉自在に設けられた部材であり、本実施形態において、容器本体２の同等の大きさを有している。容器本体２及び蓋体３の当接する外周縁に亘って線ファスナーＦ１が設けられており、２つのスライダーＦ１１を操作して容器本体２及び蓋体３が当接する任意の箇所より開けることができる。
【００２０】
図１から図３に示すように、蓋体３には、本体容器２とは反対側に副蓋体３１が、蓋体３に対して第二線ファスナーＦ２を介して開閉自在に設けられている。蓋体３の上部側で一部が切り欠かれており、その切り欠かれた部分を補うように副蓋体３１が設けられているため、蓋体３と副蓋体３１の側面は面一となっている。蓋体３及び副蓋体３１の当接する外周縁に亘って第二線ファスナーＦ２が設けられており、２つのスライダーＦ２１を操作して蓋体３及び副蓋体３１が当接する任意の箇所より開けることができる。
【００２１】
スライドフレーム４は、容器本体２における開口部とは反対側である背面に設けられおり、複数の部材を組み合わせて伸縮自在に設けられている。本実施形態において、スライドフレーム４は、容器本体２の背面に二本設けられ、それぞれ複数の部材を組み合わせて多段階的に伸縮可能に設けられている。それらのスライドフレーム４の上端に使用者が手で握る把持部４１が設けられており、把持部４１に設けられた操作ボタン４１ａにより、それぞれのスライドフレーム４の伸縮を操作することができる。また、図１などでは把持部４１がキャリーバッグ１の天面から飛び出した状態であるが、スライドフレーム４を引き伸ばしている状態であり、把持部４１の操作ボタン４１ａで操作することにより、とキャリーバッグ１の天面程度まで把持部４を押し下げることができる。
【００２２】
キャスター体５は、キャリーバッグ１を載置する面と対向する容器本体２及び蓋体３の底面に複数設けられた部材である。本実施形態において、容器本体２及び蓋体３の底面の四隅に４個のキャスター体５が設けられており、キャリーバッグ１を円滑に移動させることができる。また、それぞれのキャスター体５は、容器本体２及び蓋体３の底面に垂直な軸周りに３６０度の角度で回動自在に設けられているため、キャリーバッグ１を方向転換するときにもスムーズに行うことができる。
【００２３】
環状部６は、容器本体２又は蓋体３におけるスライドフレーム４が引き出される側である天面側に設けられた部材であり、本実施形態において、略四角形の角環状の形状を有している。この環状部６に後述するベルト９を挿通することにより、手提げバッグＢをキャリーバッグ１の天面に載置して固定するときに、環状部６がベルト９におけるキャリーバッグ１側の支点となるために、手提げバッグＢをしっかり安定して保持することができる。本実施形態において、環状部６は、角環状であるが、他の実施形態において、円環状、長円環状、楕円環状など種々の形状とすることができる。また、本実施形態において、環状部６は、連結部６１を介して蓋体３の天面側に設けられているが、他の実施形態において、他の部材を介して間接的に又は他の部材を介さず直接的に、蓋体３又は容器本体２の天面側にそれらの内外を問わず設けることもできる。
【００２４】
そして、環状部６は、蓋体３の天面側において、蓋体３に両端が固設されて輪状となった連結部６１に挿通されている。連結部６１は、環状部６を蓋体３に連結するための部材であり、環状部６を回動させやすくなるため、キャリーバッグ１の天面に手提げバッグＢを載置して固定するときにベルト９と手提げバッグＢとの間に隙間を生じにくくして手提げバッグＢを安定して保持することができる。本実施形態において、連結部６１は、蓋体３の天面側に固設されているが、他の実施形態において、容器本体１の天面側で容器本体１に固設されていてもよい。また、本実施形態において、連結部６１は、帯状であるが、他の実施形態において、容器本体１又は蓋体３に環状部６を繋ぎ留めることができる限りにおいて紐状などの形状であってもよい。
【００２５】
係止部７及び被係止部８は、ベルト９の両端側に取り付けられ、互いに係止する部材である。図２や図３に示すように、係止部７及び被係止部８が互いに係止することにより、ベルト９がリング状となることができる。本実施形態において、係止部７及び被係止部８としては、スナップバックルであるが、他の実施形態において、ボタン、面ファスナー、ナスカン、フックなどを用いることができる。
【００２６】
また、係止部７の端部側には、連設された挿通孔７１が穿設されており、ベルト９の一端側が挿通される。連設された挿通孔７１にベルト９が挿通されることにより、ベルト９に引っ張る力が加わったとしても、摩擦力により連設された挿通孔７１の箇所でベルト９が動かず、また、連設された挿通孔７１に挿通されたベルト９の一端側をそれら挿通孔７１から順次送り出す又は引き戻すことにより、係止部７と被係止部８の間のベルト９の長さを調整して、キャリーバッグ１の天面に載置しようとする手提げバッグＢの大きさに対応することができる。なお、本実施形態において、挿通孔７１は、係止部７に穿設されているが、他の実施形態において、被係止部８に設けることもできるし、係止部７及び被係止部８の両方に設けることができる。
【００２７】
ベルト９は、環状部６に挿通された帯状の部材である。上述したように、ベルト９の両端側には係止部７及び被係止部８が取付けられており、係止部７及び被係止部８を係止することで、図３に示すように、環状部６、二本のスライドフレーム４を支点にして、３点でベルト９を支持することにより、キャリーバッグ１の天面に載置した手提げバッグＢを安定して保持することができる。
【００２８】
そして、ベルト９は、環状部６及びスライドフレー４を通じてキャリーバッグ１の天面に載置した手提げバッグＢ等を保持するものであるため、その長さが１０００〜１４００ｍｍであることが好ましく、１１００〜〜１３００ｍｍであることがさらに好ましい。
【００２９】
また、ベルト９の材料としては、種々の材料を用いることができるが、手提げバッグＢ等を保持するときにおける環状部６及びスライドフレー４への取り回しやすさ、また未使用時の収納のしやすさを踏まえて、絹、木綿、麻などの天然繊維、アセテート、レーヨンなどの再生繊維、ナイロン、ポリエステル、ポリウレタンなどの合成繊維などの柔軟性を有する材料を１種又は２種以上組み合わされたものであることが好ましい。
【符号の説明】
【００３０】
１・・・キャリーバッグ
２・・・容器本体
３・・・蓋体
３１・・・副蓋体
４・・・スライドフレーム
４１・・・把持部
５・・・キャスター体
６・・・環状部
６１・・・連結部
７・・・係止部
７１・・・挿通孔
８・・・被係止部
９・・・ベルト
Ｆ１・・・線ファスナー
Ｆ２・・・第二線ファスナー
Ｂ・・・手提げバッグ
【図１】
0003213471.tif 000003
【図２】
0003213471.tif 000004
【図３】
0003213471.tif 000005
【図４】
0003213471.tif 000006